(57)【要約】【課題】設置作業や後処理に手数を要することがなく、また、一定した設置精度を確保することができる基礎の水抜き栓を提供すること。【解決手段】建造物を構築中に布基礎Ｋによって囲まれた土間部分Ｄに溜まった水を排出するためのもので、布基礎Ｋ内に布基礎Ｋの幅方向に貫通して埋設される下方が開放した外枠部材２と、外枠部材２に貫装される栓部材３とからなる。【選択図】図１
2020066941.tif 000002
【特許請求の範囲】
【請求項１】
建造物を構築中に布基礎によって囲まれた土間部分に溜まった水を排出するための基礎の水抜き栓において、布基礎内に該布基礎の幅方向に貫通して埋設される下方が開放した外枠部材と、該外枠部材に貫装される栓部材とからなることを特徴とする基礎の水抜き栓。
【請求項２】
前記栓部材の長手方向の間に、易切断部が形成されてなることを特徴とする請求項１に記載の基礎の水抜き栓。
【請求項３】
前記栓部材の長手方向の端面に、目印片を取り付けてなることを特徴とする請求項１又は２に記載の基礎の水抜き栓。
【発明の詳細な説明】
【技術分野】
【０００１】
本発明は、布基礎によって囲まれた土間部分に溜まった水を排出するための基礎の水抜き栓に関するものである。
【背景技術】
【０００２】
建造物を構築する際、構築中に雨が降ると、布基礎によって囲まれた土間部分に水が溜まり、水を排出するのに手数を要するという問題があった。
【０００３】
この問題に対処するために、布基礎に水抜き穴を形成したり、布基礎によって囲まれた土間部分に水抜き栓を設けることが提案されている（例えば、特許文献１参照。）。
【０００４】
ところで、上記布基礎によって囲まれた土間部分に溜まった水を排出するために布基礎に形成される水抜き穴は、布基礎を構築する際に、木片等からなる離脱型を布基礎構築用型枠に仕込んでおき、布基礎構築用型枠内にコンクリートを打設して布基礎を構築した後、布基礎内に埋設されている離脱型を抜き去って形成するものであるため、離脱型の離脱や建造物を構築した後の水抜き穴の処置に手数を要するとともに、水抜き穴の形成精度が一定しないという問題があった。
【０００５】
また、上記布基礎によって囲まれた土間部分に溜まった水を排出するために布基礎によって囲まれた土間部分に設けられる水抜き栓は、布基礎によって囲まれた土間部分の地中に水を排出するものであるため、水抜き栓の設置に手数を要するという問題があった。
【先行技術文献】
【特許文献】
【０００６】
【特許文献１】特開２００９−１６１９８２号公報
【発明の概要】
【発明が解決しようとする課題】
【０００７】
本発明は、上記布基礎によって囲まれた土間部分に溜まった水を排出するために布基礎に形成される水抜き穴や布基礎によって囲まれた土間部分に溜まった水を排出するために布基礎によって囲まれた土間部分に設けられる水抜き栓の有する問題点に鑑み、設置作業や後処理に手数を要することがなく、また、一定した設置精度を確保することができる基礎の水抜き栓を提供することを目的とする。
【課題を解決するための手段】
【０００８】
上記目的を達成するため、本発明の基礎の水抜き栓は、建造物を構築中に布基礎によって囲まれた土間部分に溜まった水を排出するための基礎の水抜き栓において、布基礎内に該布基礎の幅方向に貫通して埋設される下方が開放した外枠部材と、該外枠部材に貫装される栓部材とからなることを特徴とする。
【０００９】
この場合において、前記栓部材の長手方向の間に、易切断部が形成されてなるようにすることができる。
【００１０】
また、前記栓部材の長手方向の端面に、目印片を取り付けてなるようにすることができる。
【発明の効果】
【００１１】
本発明の基礎の水抜き栓によれば、布基礎内に該布基礎の幅方向に貫通して埋設される下方が開放した外枠部材と、該外枠部材に貫装される栓部材とからなることから、水抜き栓の設置作業や後処理に手数を要することがなく、また、一定した水抜き栓の設置精度を確保することができる。
【００１２】
また、栓部材の長手方向の間に、易切断部が形成されてなるようにすることにより、栓部材の長手方向の寸法を、栓部材を易切断部で切断することで外枠部材の長手方向の寸法より短くなるようにし、埋め戻し部材として転用することができる。
【００１３】
また、栓部材の長手方向の端面に、目印片を取り付けてなるようにすることにより、布基礎構築用型枠内にコンクリートを打設して布基礎を構築し、布基礎構築用型枠を外した状態で、布基礎内に埋設されている水抜き栓の位置を容易に視認することができる。
【図面の簡単な説明】
【００１４】
【図１】本発明の基礎の水抜き栓の一実施例を示す設置状態を示す説明図である。
【図２】同基礎の水抜き栓の外枠部材の説明図で、（ａ）は平面図、（ｂ）は正面図、（ｃ）は底面図、（ｄ）は右側面図、（ｅ）は（ａ）のＡ−Ａ断面図である。
【図３】同基礎の水抜き栓の栓部材の説明図で、（ａ）は平面図、（ｂ）は正面図、（ｃ）は底面図、（ｄ）は右側面図、（ｅ）は（ａ）のＡ−Ａ断面図である。
【発明を実施するための形態】
【００１５】
以下、本発明の基礎の水抜き栓の実施の形態を、図面に基づいて説明する。
【００１６】
図１〜図３に、本発明の基礎の水抜き栓の一実施例を示す。
この基礎の水抜き栓１は、建造物を構築中に布基礎Ｋによって囲まれた土間部分Ｄに溜まった水を排出するためのもので、布基礎Ｋ内に布基礎Ｋの幅方向に貫通して埋設される下方が開放した外枠部材２と、外枠部材２に貫装される栓部材３とからなる。
【００１７】
この水抜き栓１を構成する外枠部材２及び栓部材３は、ポリプロピレン樹脂等の合成樹脂の成形品からなる。
【００１８】
このうち、外枠部材２は、布基礎Ｋ内に布基礎Ｋの幅方向に貫通して埋設されるもので、下方が開放し、下端に水平方向外側に延設した設置片２１を形成することで、断面形状がハット形をしている。
この外枠部材２は、建造物を構築中に布基礎Ｋによって囲まれた土間部分Ｄに溜まった水を排出する際の導水路を構成するものであるが、下方が開放して形成されているため、設置片２１を形成することで設置精度を容易に確保することができることと相俟って、布基礎Ｋ内に布基礎Ｋの幅方向に貫通して埋設したときに土間部分Ｄとに段差が生じにくく、水を円滑に排出することができるようにしている。
【００１９】
また、外枠部材２に貫装される栓部材３は、外枠部材２の内面に沿って摺接、摺動する精度に形成するようにしたもので、上方が開放し、内部を横仕切り片３１ａ及び縦仕切り片３１ｂによって適宜区画した箱形をしている。
この栓部材３は、栓部材３を外枠部材２に装着した状態の水抜き栓１を布基礎構築用型枠に仕込んでおき、布基礎構築用型枠内にコンクリートを打設して布基礎Ｋを構築する際に、打設したコンクリートが外枠部材２の内部に入り込まないようにしたり、建造物を構築中に布基礎Ｋによって囲まれた土間部分Ｄに溜まった水を排出する際に、外枠部材２から栓部材３を抜いて外枠部材２による導水路を構成するようにしたり、さらに、外枠部材２に栓部材３を貫装することによって、外枠部材２により構成された導水路を閉鎖し、外部からの水の浸入や害虫等の侵入を防止できるようにしている。
【００２０】
ここで、栓部材３を外枠部材２に装着した状態の水抜き栓１を布基礎構築用型枠に仕込む位置は、外枠部材２及び栓部材３の下面と、土間部分Ｄに打設したコンクリートの表面とが略面一になる位置にすることが好ましい。
このため、ます、土間部分Ｄに打設したコンクリートと略面一になるように布基礎Ｋを構築する位置にコンクリートを打設し、当該打設したコンクリートの表面に栓部材３を外枠部材２に装着した状態の水抜き栓１を配置し（このとき、必要に応じて、外枠部材２の設置片２１を打設したコンクリートに釘止めすることができる。）、布基礎構築用型枠内にコンクリートを打設して布基礎Ｋを構築するようにする。
【００２１】
また、この栓部材３は、外枠部材２により構成された導水路を閉鎖する機能に加え、補強の機能を発揮するために、外枠部材２に比べて全体が比較的厚肉に形成することで剛性を持たせるようにしている。
そして、栓部材３の長手方向の間に、上部接続部３２ａ及び下部接続部３２ｂからなる易切断部３２を形成することにより、より具体的には、栓部材３を、上方が開放した箱形の部分３Ａ、３Ｂと、この箱形の部分３Ａ、３Ｂ同士を上部接続部３２ａ及び下部接続部３２ｂからなる易切断部３２を介して接続するようにしている。
これにより、建造物を構築した後、栓部材３の長手方向の寸法を、栓部材３を易切断部３２で切断することで外枠部材２の長手方向の寸法より短くなるようにし、箱形の部分３Ａ（又は箱形の部分３Ｂ）を外枠部材２に貫装することで、埋め戻し部材として転用することができるようにしている。この場合、箱形の部分３Ａ（又は箱形の部分３Ｂ）を貫装した外枠部材２の残り空間には、必要に応じて、モルタル等を充填することで、外枠部材２により構成された導水路を確実に閉鎖し、外部からの水の浸入や害虫等の侵入を防止することができる。
【００２２】
また、栓部材３の長手方向の端面（両端面又はいずれか一方の端面）には、布基礎構築用型枠内にコンクリートを打設して布基礎Ｋを構築し、布基礎構築用型枠を外した状態で、布基礎Ｋ内に埋設されている水抜き栓の位置を容易に視認することができるようにするための目印片４を取り付けるようにしている。
目印片４は、可圧縮性の材料、例えば、連続気泡性の発砲樹脂材料やゴム等で構成し、この目印片４を栓部材３の長手方向の端面に接着し、栓部材３を外枠部材２に装着した状態の水抜き栓１を布基礎構築用型枠に仕込んだ際に、目印片４の表面を布基礎構築用型枠と密着させることで、布基礎構築用型枠内にコンクリートを打設して布基礎Ｋを構築する際に、布基礎構築用型枠と打設したコンクリートが目印片４の表面側に入り込まないようにし、布基礎構築用型枠内にコンクリートを打設して布基礎Ｋを構築し、布基礎構築用型枠を外したときに目印片４が布基礎Ｋの表面に露出するようにする。
【００２３】
以上、本発明の基礎の水抜き栓について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の基礎の水抜き栓は、設置作業や後処理に手数を要することがなく、また、一定した設置精度を確保することができるという特性を有していることから、建造物を構築中に布基礎によって囲まれた土間部分に溜まった水を排出するための用途に好適に用いることができる。
【符号の説明】
【００２５】
１  水抜き栓
Ｄ  土間部分
Ｋ  布基礎
２  外枠部材
２１  設置片
３  栓部材
３Ａ  箱形の部分
３Ｂ  箱形の部分
３１ａ  横仕切り片
３１ｂ  縦仕切り片
３２  易切断部
３２ａ  上部接続部
３２ｂ  下部接続部
４  目印片
【図１】
2020066941.tif 000003
【図２】
2020066941.tif 000004
【図３】
2020066941.tif 000005